(57)【要約】【課題】頭部の適切な位置での脳波を測定することができるようにする。【解決手段】脳波測定装置１００は、ユーザの特定の部位（蝸牛（受容器））から発せられる電気信号を検出する耳孔内センサ（第１の検出部）１１と、当該特定の部位とは異なる、ユーザの頭部の少なくとも１つの部位から発せられる電気信号を検出する頭部センサ（第２の検出部）１２と、制御装置１０１と、を備え、制御装置１０１は、耳孔内センサ１１から検出される電気信号と頭部センサ１２から検出される電気信号との相関係数を算出し、当該相関係数に基づく表示（レベルメータ）を表示部（表示手段）１０４に行わせる。【選択図】図１
2018153532.tif 000002
【特許請求の範囲】
【請求項１】
ユーザの特定の部位から発せられる電気信号を検出する第１の検出部と、
前記特定の部位とは異なる、前記ユーザの頭部の少なくとも１つの部位から発せされる電気信号を検出する第２の検出部と、
前記第１の検出部から検出される電気信号と前記第２の検出部から検出される電気信号との相関係数を算出し、当該相関係数に基づく情報を出力する制御装置と、
を備えることを特徴とする脳波測定装置。
【請求項２】
表示部を備え、
前記制御装置は、前記表示部に前記相関係数に対応する情報を表示させるように制御することを特徴とする請求項１に記載の脳波測定装置。
【請求項３】
前記頭部の所定の位置に前記第２の検出部を当接させた状態で当該第２の検出部を保持する支持部材と、
前記支持部材によって保持された前記第２の検出部の位置をユーザ操作に基づき調整する調整部と、
を備えることを特徴とする請求項１又は２に記載の脳波測定装置。
【請求項４】
前記調整部により調整される前記第２の検出部の調整位置を検出する位置検出部と、
前記位置検出部により検出された前記調整位置を示す調整位置情報を記憶する記憶装置と、
を備えることを特徴とする請求項３に記載の脳波測定装置。
【請求項５】
前記第２の検出部は、複数からなり、
前記頭部の所定の位置に前記複数の第２の検出部を当接させた状態で当該複数の第２の検出部を保持する支持部材と、
前記複数の第２の検出部のうちから前記電気信号の検出対象とする一の第２の検出部をユーザ操作に基づき指定する指定部と、
を備えることを特徴とする請求項１〜４のいずれか一項に記載の脳波測定装置。
【請求項６】
前記指定部により指定された前記一の第２の検出部を示す指定情報を記憶する記憶装置を備えることを特徴とする請求項５に記載の脳波測定装置。
【請求項７】
前記第１の検出部は、前記特定の部位として前記ユーザの蝸牛から発せられる電気信号を検出し、
前記第２の検出部は、前記ユーザの頭部の複数の場所のなかで前記相関係数が相対的に最も大きい特定の場所において、前記ユーザの頭部の聴覚野から発せられる電気信号を検出することを特徴とする請求項１〜６のいずれか一項に記載の脳波測定装置。
【請求項８】
前記第１の検出部により前記電気信号を検出する際に、所定周波数の音を出力する音出力部を備えることを特徴とする請求項７に記載の脳波測定装置。
【請求項９】
脳波測定装置における脳波測定方法であって、
前記脳波測定装置は、
ユーザの特定の部位から発せられる電気信号を検出する第１の検出部と、
前記特定の部位とは異なる、前記ユーザの頭部の少なくとも１つの部位から発せされる電気信号を検出する第２の検出部と、を備え、
前記第１の検出部から検出される電気信号と前記第２の検出部から検出される電気信号との相関係数を算出し、
当該相関係数に基づく情報を出力する、
ことを特徴とする脳波測定方法。
【請求項１０】
脳波測定装置における脳波測定プログラムであって、
前記脳波測定装置は、
ユーザの特定の部位から発せられる電気信号を検出する第１の検出部と、
前記特定の部位とは異なる、前記ユーザの頭部の少なくとも１つの部位から発せされる電気信号を検出する第２の検出部と、を備え、
コンピュータに、
前記第１の検出部から検出される電気信号と前記第２の検出部から検出される電気信号との相関係数を算出させ、
当該相関係数に基づく情報を出力させる、
ことを特徴とする脳波測定プログラム。
【発明の詳細な説明】
【技術分野】
【０００１】
本発明は、脳波測定装置、脳波測定方法及び脳波測定プログラムに関する。
【背景技術】
【０００２】
従来、脳波測定を行う場合、被測定者の頭部の適切な位置に電極を配する必要があり、例えば、電極を簡便に当該適切な位置に配することを目的として、電極を所定の位置に設けたヘッドセット等が用いられている。具体的には、第１のヘッドバンド部と、第２のヘッドバンド部と、第３のヘッドバンド部との３箇所でユーザの頭部を挟持するヘッドセットが開示されている（例えば、特許文献１参照）。このヘッドセットは、各ヘッドバンド部に電極が設けられている。
【先行技術文献】
【特許文献】
【０００３】
【特許文献１】特開２０１３−８５６２１号公報
【発明の概要】
【発明が解決しようとする課題】
【０００４】
しかしながら、上記特許文献１に開示されているヘッドセットを用いたしても、被測定者の頭部の形や大きさには個人差があるため、被測定者によっては頭部の適切な位置での脳波を測定することができないという問題があった。
【０００５】
本発明は、このような問題に鑑みてなされたものであり、頭部の適切な位置での脳波を測定することができるようにすることを目的とする。
【課題を解決するための手段】
【０００６】
上記課題を解決するため、本発明に係る脳波測定装置は、
ユーザの特定の部位から発せられる電気信号を検出する第１の検出部と、
前記特定の部位とは異なる、前記ユーザの頭部の少なくとも１つの部位から発せされる電気信号を検出する第２の検出部と、
前記第１の検出部から検出される電気信号と前記第２の検出部から検出される電気信号との相関係数を算出し、当該相関係数に基づく情報を出力する制御装置と、
を備えることを特徴とする。
【発明の効果】
【０００７】
本発明によれば、頭部の適切な位置での脳波を測定することができる。
【図面の簡単な説明】
【０００８】
【図１】本実施の形態に係る脳波測定装置の外観を示す図であり、当該脳波測定装置がユーザの頭部に装着された状態を示す斜視図である。
【図２】調整部の構造を示す図である。
【図３】図１の脳波測定装置の構成を機能ごとに表す機能ブロック図である。
【図４】相関モード処理の一例を示すフローチャートである。
【図５】レベルメータの表示例を示す図である。
【図６】（ａ）は耳孔内センサにより検出された電気信号の一例を示す図であり、（ｂ）は頭部センサにより検出された電気信号の一例を示す図である。
【図７】変形例１の脳波測定装置を構成する頭部センサユニットを示す斜視図である。
【図８】実施形態２の脳波測定装置の外観を示す図であり、当該脳波測定装置がユーザの頭部に装着された状態を示す斜視図である。
【発明を実施するための形態】
【０００９】
以下、本発明の脳波測定装置、脳波測定方法及び脳波測定プログラムの実施の形態について、図面を参照して説明する。
【００１０】
［実施形態１］
図１は、本発明を適用した一実施形態の脳波測定装置１００の外観を示す図であり、この脳波測定装置１００がユーザの頭部に装着された状態を示す斜視図である。
図１に示すように、脳波測定装置１００は、ネックバンド型をなしており、２つのセンサユニット１と、ネックバンド２と、コントローラ部３とを備えている。ネックバンド２は、Ｕ字状に形成されており、その各端部にセンサユニット１が備えられるとともに、バンドの途中にコントローラ部３が備えられている。
【００１１】
図１に示すように、２つのセンサユニット１は、ユーザの左耳に装着されるセンサユニット１Ａと右耳に装着されるセンサユニット１Ｂとにより構成されている。センサユニット１Ａとセンサユニット１Ｂは、後述するユニット本体１３の形状が左右対称をなすこと以外は構成が略同様であるため、以下、左耳用のセンサユニット１Ａについて説明を行い、右耳用のセンサユニット１Ｂについてはその説明を省略する。
【００１２】
センサユニット１Ａは、耳孔内センサ（第１の検出部）１１と、頭部センサ（第２の検出部）１２と、ユニット本体（支持部材）１３とを備えている。
耳孔内センサ１１は、電極Ｅを具備しており、この電極Ｅがユーザの耳孔に挿入されることによって、蝸牛（受容体）から発せられる電気信号（図６（ａ）参照）を検出可能となっている。電極Ｅは、導電性スポンジで構成されている。
頭部センサ１２は、耳孔内センサ１１と同様、導電性スポンジで構成されている電極Ｅを具備しており、この電極Ｅがユーザの頭部の所定位置（側頭部付近）に当接されることによって、当接された位置から発せられる電気信号（図６（ｂ）参照）を検出可能となっている。
【００１３】
ユニット本体１３は、イヤーフック型をなしており、ユーザの耳に掛けられるようになっている。ユニット本体１３は、その一端にて耳孔内センサ１１を保持している。また、ユニット本体１３は、その他端に接地部（アース）１３１を具備しており、この接地部１３１をユーザの耳朶に当接させることによって、静電気等のノイズを除去する。また、ユニット本体１３は、フックの途中の上部に調整部１３２を具備しており、この調整部１３２を介して頭部センサ１２を保持している。
【００１４】
図２は、調整部１３２の構造を説明する図である。
図２に示すように、調整部１３２は、その一端を支点として調整部１３２自体を回動させる回動機構ＳＴ１を備えるとともに、その他端に頭部センサ１２をスライドさせるスライド機構ＳＴ２を備えている。この回動機構ＳＴ１により調整部１３２自体を回動させるとともに、スライド機構ＳＴ２により頭部センサ１２をスライドさせることによって、ユーザの頭部に当接される頭部センサ１２の位置を調整することができるようになっている。
【００１５】
また、調整部１３２には、回動機構ＳＴ１の支持部に磁石ｍ１が設けられるとともに、この磁石ｍ１の磁気を検出可能な位置（例えば、調整部本体に内蔵された基板の下部）にホール素子ｈ１が設けられており、調整部１３２の位置（回動位置）を検出することができるようになっている。また、調整部１３２には、頭部センサ１２のスライドを案内するガイド（スライド機構ＳＴ２）に磁石ｍ２が設けられるとともに、この磁石ｍ２の磁気を検出可能な位置（例えば、調整部本体に内蔵された基板の上部）にホール素子ｈ２が設けられており、頭部センサ１２の位置（スライド位置）を検出することができるようになっている。なお、調整部１３２に設けられている磁石ｍ１、ｍ２やホール素子ｈ１、ｈ２は頭部センサ１２の位置を検出するために設けられているものであるが、頭部センサ１２の位置を検出するための構成は、これら磁石やホール素子に限るものではなく、例えばロータリーエンコーダやリニアエンコーダ等を用いて構成されていてもよい。更には、磁石やホール素子とロータリーエンコーダやリニアエンコーダ等とを組み合わせて構成されていてもよい。
【００１６】
図３は、脳波測定装置１００の構成を機能ごとに表す機能ブロック図である。
図３に示すように、脳波測定装置１００は、制御装置１０１と、記憶装置１０２と、操作部１０３と、表示部１０４と、センサ部１０５と、位置検出部１０６と、通信部１０７とを備えている。制御装置１０１、記憶装置１０２、操作部１０３、表示部１０４及び通信部１０７は、図１に示すコントローラ部３に設けられている。
【００１７】
制御装置１０１は、記憶装置１０２からプログラムを読み出して実行することにより、脳波測定装置１００の各部の動作を制御する。制御装置１０１は、ＣＰＵ（Central Processing Unit）、ＲＡＭ（Random Access Memory）等により構成することができる。
【００１８】
記憶装置１０２は、制御装置１０１により読み取り可能なプログラムを記憶している。記憶装置１０２としては、例えば、フラッシュメモリ等の媒体を用いることができる。
また、記憶装置１０２は、制御装置１０１により処理されたデータ等を書き込むことができる。
【００１９】
操作部１０３は、コントローラ部３の電源のＯＮ／ＯＦＦを切り替える電源ボタン（図示省略）、モード（例えば、後述する相関モード）や機能等の選択指示に係るカーソルボタンや決定ボタンデータ（いずれも図示省略）等を備えており、この操作部１０３からの指示に基づいて制御装置１０１は各部を制御するようになっている。
【００２０】
表示部１０４は、制御装置１０１から指示された表示情報に従い各種表示を行う。表示部１０４は、例えば、ＬＣＤ（Liquid Crystal Display）等により構成することができる。
【００２１】
センサ部１０５は、上述した左耳用のセンサユニット１Ａに係る耳孔内センサ１１と頭部センサ１２、並びに、右耳用のセンサユニット１Ｂに係る耳孔内センサ１１と頭部センサ１２により構成され、各センサにより所定の周期ごとに電位を検出する。そして、各センサにより検出された電位の検出データを制御装置１０１に出力する。
【００２２】
位置検出部１０６は、頭部センサ１２の位置（調整位置）を検出する。具体的には、位置検出部１０６は、２つのホールセンサ（上述のホール素子ｈ１及び磁石ｍ１並びにホール素子ｈ２及び磁石ｍ２）により構成され、各ホールセンサにより検出された磁気の大きさによって、頭部センサ１２の回動位置とスライド位置を検出する。
【００２３】
通信部１０７は、制御装置１０１の制御下において、取得したデータを外部の情報端末に出力するものであり、例えば、ＵＳＢ端子などの有線式の通信部や、Bluetooth（登録商標）などの近距離無線通信規格を採用した通信部である。
【００２４】
次に、図４を参照して、脳波測定装置１００で実行される相関モード処理を説明する。
相関モード処理は、ユーザ操作に基づき操作部１０３より出力された相関モードへの遷移指示に係る操作信号が制御装置１０１に入力されたことを契機として開始されるようになっている。ここで、相関モードとは、聴覚野から発せられる電気信号（脳波）を精度良く検出することができるように頭部に対する頭部センサ１２の当接位置を調整する際に用いられるモードである。
【００２５】
先ず、制御装置１０１は、ユーザ操作に基づき操作部１０３より出力された相関係数の算出指示に係る操作信号が入力されたか否かを判定する（ステップＳ１）。
ステップＳ１において、相関係数の算出指示に係る操作信号が入力されていないと判定された場合（ステップＳ１；ＮＯ）、制御装置１０１は、ステップＳ２〜Ｓ４をスキップして、ステップＳ５へ移行する。
一方、ステップＳ１において、相関係数の算出指示に係る操作信号が入力されたと判定された場合（ステップＳ１；ＹＥＳ）、制御装置１０１は、耳孔内センサ１１と頭部センサ１２の各々の電気信号を取り込む（ステップＳ２）。ここで、上記電気信号は、左耳用のセンサユニット１Ａと右耳用のセンサユニット１Ｂとのうちの少なくともいずれか一方のユニットの耳孔内センサ１１と頭部センサ１２とから取り込まれるものとする。
【００２６】
次いで、制御装置１０１は、ステップＳ２で取り込んだ耳孔内センサ１１と頭部センサ１２の互いの電気信号の相関係数を算出する（ステップＳ３）。ここで、耳孔内センサ１１と頭部センサ１２の互いの電気信号の相関係数を算出しているのは、蝸牛（受容体）と聴覚野とは神経回路網（聴覚伝導路）を介して接続されており、互いに影響しあう関係にあるためである。なお、相関係数の算出方法は公知の技術であるので、ここでは詳細な説明を省略する。
【００２７】
次いで、制御装置１０１は、算出された相関係数の値を表示部１０４に表示されるレベルメータの基準値に補完して表示を行う（ステップＳ４）。具体的には、図５に示すように、左耳用のセンサユニット１Ａに係るセンサ１１と頭部センサ１２の各々から取り込まれた互いの電気信号の相関係数のレベルを表す左耳用レベルメータＬ１と、右耳用のセンサユニット１Ｂに係るセンサ１１と頭部センサ１２の各々から取り込まれた互いの電気信号の相関係数のレベルを表す右耳用レベルメータＬ２とが表示部１０４に表示されるようになっている。左耳用レベルメータＬ１と右耳用レベルメータＬ２はともにレベル０からレベル１０まで表示可能となっており、相関係数の値（以下、│ｒ│と称す）が０の場合はレベル０、０＜│ｒ│≦０．１の場合はレベル１、０．１＜│ｒ│≦０．２の場合はレベル２、…、０．９＜│ｒ│≦１．０の場合はレベル１０に補完されて表示されるようになっている。つまり、各レベルメータＬ１，Ｌ２に表示されるレベルの度合いに応じて、頭部に対する頭部センサ１２の当接位置が聴覚野から発せられる電気信号（脳波）を精度良く検出することができる位置であるか否かが表されるようになっている。
【００２８】
次いで、制御装置１０１は、ユーザ操作に基づき操作部１０３より出力された相関モードの終了指示に係る操作信号が入力されたか否かを判定する（ステップＳ５）。
ステップＳ５において、相関モードの終了指示に係る操作信号が入力されていないと判定された場合（ステップＳ５；ＮＯ）、制御装置１０１は、ステップＳ１へ移行する。
一方、ステップＳ５において、相関モードの終了指示に係る操作信号が入力されたと判定された場合（ステップＳ５；ＹＥＳ）、制御装置１０１は、相関モード処理を終了する。
【００２９】
以上のように、本実施形態の脳波測定装置１００は、ユーザの特定の部位（蝸牛（受容器））から発せられる電気信号を検出する耳孔内センサ（第１の検出部）１１と、当該特定の部位とは異なる、ユーザの頭部の少なくとも１つの部位から発せされる電気信号を検出する頭部センサ（第２の検出部）１２と、制御装置１０１と、を備え、制御装置１０１は、耳孔内センサ１１から検出される電気信号と頭部センサ１２から検出される電気信号との相関係数を算出し、当該相関係数の算出結果（レベルメータ）を表示部（表示手段）１０４に表示させたこととなる。
【００３０】
このため、上記相関係数の算出結果に基づき、頭部に対する頭部センサ１２の当接位置が聴覚野から発せられる電気信号（脳波）を精度良く検出することができる位置であるか否かを判断することができる。これにより、聴覚野から発せられる電気信号を精度良く検出することができる頭部センサ１２の位置を導出することができるようになるので、頭部の聴覚野に対応する適切な位置での脳波を測定することができる。
この結果、聴覚野から発せられる電気信号を精度良く検出することができるとともに、当該聴覚野と接続されている蝸牛から発せられる電気信号も検出することができるようになる。よって、蝸牛から発せられる電気信号に基づいて、音（外界の刺激）が当該電気信号に変換される様子が分かるようになるとともに、聴覚野から発せられる電気信号に基づいて、音が聴覚野で最終的にどのように処理されるのかが分かるようになる。
さらに、蝸牛から発せられる電気信号と聴覚野から発せられる電気信号を同時に検出することができるので、蝸牛から発せられた電気信号が聴覚野へ到達するまでにどのように変換されていくかを推測することができるようになる。
【００３１】
また、本実施形態の脳波測定装置１００は、頭部の所定の位置に頭部センサ１２を当接させた状態で当該頭部センサ１２を保持するユニット本体（支持部材）１３と、ユニット本体１３によって保持された頭部センサ１２の位置をユーザ操作に基づき調整する調整部１３２と、を備えたこととなる。
このため、頭部の所定の位置に頭部センサ１２を当接させることによって、予め適切な位置の見当をつけることができる。そして、調整部１３２によって、頭部センサ１２の位置を調整するので、聴覚野から発せられる電気信号を精度良く検出することができる位置を効率良く導出することができる。
【００３２】
［変形例１］
上記脳波測定装置１００において、ユニット本体１３に調整部１３２を設ける代わりに、複数の頭部センサ１２，…が一体となった頭部センサユニット１３３を設けるようにしてもよい。
具体的には、図７に示すように、ユニット本体１３のフックの途中の上部に、例えば、４つの頭部センサ１２が横一列に配されたＴ字状の頭部センサユニット１３３を設ける。この変形例１の場合、ユーザ操作に基づき４つの頭部センサ１２のうちから一の頭部センサ１２を指定させ、指定された一の頭部センサ１２によって頭部から発せられる電気信号を検出する。つまり、ユーザ操作に基づき指定する一の頭部センサ１２を切り替えることにより、上記調整部１３２による頭部センサ１２の位置の調整を行わなくても、電気信号の検出位置を調整することができる。
なお、図７に示した頭部センサユニット１３３は、一例に過ぎず、このユニットに配される頭部センサ１２の数やレイアウトは適宜変更可能である。
【００３３】
［実施形態２］
次に、実施形態２について説明する。なお、上記実施形態１と同様の構成要素には同一の符号を付し、その説明を省略する。
実施形態２の脳波測定装置２００は、網膜（受容体）から発せられる電気信号と、頭部の所定位置（後頭部付近）から発せされる電気信号との相関係数を算出し、当該相関係数の算出結果を表示部１０４に表示させる点で、上記実施形態１と異なっている。
【００３４】
図８は、実施形態２の脳波測定装置２００の外観を示す図であり、この脳波測定装置２００がユーザの頭部に装着された状態を示す斜視図である。
図８に示すように、脳波測定装置２００は、眼鏡型をなしており、２つの網膜センサ１４と、各網膜センサ１４と対になる頭部センサ１２と、フレーム２０２と、コントローラ部３とを備えている。
【００３５】
フレーム２０２は、眼鏡型に形成されており、ユーザの目と対向する位置に各網膜センサ１４が備えられるとともに、ユーザの頭部の所定位置（後頭部付近）に各頭部センサ１２が備えられ、さらに左側のテンプル（フレーム２０２のつる）の途中にコントローラ部３が備えられている。
【００３６】
網膜センサ１４は、他のセンサと同様、電極Ｅを具備しており、この電極Ｅがユーザの瞼等に当接されることによって、網膜から発せられる電気信号を検出可能となっている。
頭部センサ１２は、電極Ｅがユーザの頭部の所定位置（後頭部付近）に当接されることによって、視覚野から発せられる電気信号を検出可能となっている。
【００３７】
以上のように、本実施形態の脳波測定装置２００は、ユーザの特定の部位（網膜（受容器））から発せられる電気信号を検出する網膜センサ（第１の検出部）１４と、当該特定の部位とは異なる、ユーザの頭部の少なくとも１つの部位から発せされる電気信号を検出する頭部センサ（第２の検出部）１２と、制御装置１０１と、を備え、制御装置１０１は、網膜センサ１４から検出される電気信号と頭部センサ１２から検出される電気信号との相関係数を算出し、当該相関係数の算出結果（レベルメータ）を表示部（表示手段）１０４に表示させたこととなる。
このため、上記相関係数の算出結果に基づき、頭部に対する頭部センサ１２の当接位置が視覚野から発せられる電気信号（脳波）を精度良く検出することができる位置であるか否かを判断することができる。これにより、視覚野から発せられる電気信号を精度良く検出することができる頭部センサ１２の位置を導出することができるようになるので、頭部の視覚野に対応する適切な位置での脳波を測定することができる。
【００３８】
以上、本発明の実施形態について説明したが、本発明は、かかる実施形態に限定されず、その要旨を逸脱しない範囲で、種々変形が可能であることは言うまでもない。
【００３９】
例えば、上記実施形態１では、蝸牛から発生される電気信号を検出し、上記実施形態２では網膜から発生される電気信号を検出するようにしたが、第１の検出部による電気信号の検出先は、受容体であればよく、例えば、嗅覚受容体である嗅細胞や、味覚受容体である味蕾から発せられる電気信号を検出するようにしてもよい。
【００４０】
また、上記実施形態１、２では、制御装置１０１によって算出された相関係数の算出結果（レベルメータ）を表示部１０４に表示させるようにしたが、通信部１０７を介して、外部の情報端末の表示部に当該算出結果（レベルメータ）を表示させるようにしてもよい。これにより、例えば、被測定者本人も当該算出結果を確認することができるようになる。
【００４１】
また、上記実施形態１、２では、上記相関モード処理において、頭部に対して頭部センサ１２を当接させる適切な位置が導出された際に、例えば、ユーザ操作に基づき操作部１０３より頭部センサ１２の調整位置の記憶指示に係る操作信号が入力された場合、制御装置１０１は、位置検出部１０６から頭部センサ１２の調整位置を示す調整位置情報を取得して記憶装置１０２に記憶させるようにしてもよい。また、上記変形例１では、ユーザ操作に基づき操作部１０３より頭部センサ１２の調整位置の記憶指示に係る操作信号が入力された場合、制御装置１０１は、このときに指定されている一の頭部センサ１２を示す指定情報を取得して記憶装置１０２に記憶させる。
これにより、上記実施形態１、２では、次回、ユーザが脳波を測定する際に、記憶装置１０２に記憶された調整位置情報に基づいて頭部センサ１２を適切な位置に容易に調整することができる。また、上記変形例１では、記憶装置１０２に記憶された指定情報に基づいて電気信号を精度良く検出することができる一の頭部センサ１２を頭部センサユニット１３３から容易に選択することができる。
【００４２】
なお、上記脳波測定装置について、複数のユーザによる使用が想定される場合には、上記の調整位置情報や指定情報を記憶装置１０２に記憶させる際に、ユーザを識別する識別情報（例えば、ユーザＩＤ）を対応付けて記憶させるようにしてもよい。また、上記脳波測定装置において、アクチュエータを備えておき、次回、ユーザが脳波を測定する際に、記憶装置１０２に記憶された調整位置情報に基づいて当該アクチュエータを動作させ、頭部センサ１２を適切な位置に自動的に設定することができるようにしてもよい。
【００４３】
また、上記実施形態１、２及び変形例１では、レベルメータによる表示と一緒に又は当該表示の代わりに、相関係数の算出結果に応じたメッセージを表示部１０４に表示させるようにしてもよい。例えば、算出された相関係数の値│ｒ│が所定の閾値（例えば、０．５）以上であれば、「適切な位置です。」等のメッセージを表示させる一方で、当該所定の閾値未満であれば、「頭部センサの位置を変更してください。」等のメッセージを表示させるようにする。
これにより、不慣れなユーザであっても脳波測定装置を適切かつ容易に使用することができるようになる。
【００４４】
また、上記実施形態１、２及び変形例１では、音出力部を備えるようにし、レベルメータによる表示と一緒に又は当該表示の代わりに、相関係数の算出結果に応じた音を音出力部から出力させるようにしてもよい。例えば、算出された相関係数の値│ｒ│に比例して上記音の音量を変えて出力させるようにする。
【００４５】
また、上記実施形態１及び変形例１では、所定周波数（例えば、１ｋＨｚ）の音を出力可能な音出力部を備えるようにし、上記相関モード処理において、耳孔内センサ１１から電気信号を取り込む際に、制御装置１０１の制御下にて上述の所定周波数の音を音出力部から出力させるようにしてもよい。音出力部は、例えば、ユニット本体１３の一端の耳孔内センサ１１の近傍に設けるようにする。
これにより、蝸牛を刺激して当該蝸牛から電気信号を発生し易くすることができるので、相関係数の算出を好適に行うことができる。この結果、頭部に対して頭部センサ１２を当接させる適切な位置を導出し易くすることができる。
なお、音出力部より出力させる所定周波数の音は、互いに周波数が異なる複数の音を設けてもよく、ユーザが聞き取り易い周波数の音を指定して当該音を音出力部から出力させるようにしてもよい。
【００４６】
また、上記実施形態１、２では、相関モード処理において、例えば、制御装置１０１は、頭部センサ１２の当接位置がユーザにより調整されるごとに相関係数を算出し、当該相関係数の値を頭部センサ１２の調整位置と対応付けて一時的に記憶しておく。そして、制御装置１０１は、当該当接位置の調整が終了した段階で、このとき記憶されている相関係数の値のうちから最大の値を選出し、当該最大の値と対応付けられている頭部センサ１２の調整位置を表示部１０４に表示させるようにしてもよい。
【００４７】
以上、本発明の実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４８】
〔付記〕
＜請求項１＞
ユーザの特定の部位から発せられる電気信号を検出する第１の検出部と、
前記特定の部位とは異なる、前記ユーザの頭部の少なくとも１つの部位から発せされる電気信号を検出する第２の検出部と、
前記第１の検出部から検出される電気信号と前記第２の検出部から検出される電気信号との相関係数を算出し、当該相関係数に基づく情報を出力する制御装置と、
を備えることを特徴とする脳波測定装置。
＜請求項２＞
表示部を備え、
前記制御装置は、前記表示部に前記相関係数に対応する情報を表示させるように制御することを特徴とする請求項１に記載の脳波測定装置。
＜請求項３＞
前記頭部の所定の位置に前記第２の検出部を当接させた状態で当該第２の検出部を保持する支持部材と、
前記支持部材によって保持された前記第２の検出部の位置をユーザ操作に基づき調整する調整部と、
を備えることを特徴とする請求項１又は２に記載の脳波測定装置。
＜請求項４＞
前記調整部により調整される前記第２の検出部の調整位置を検出する位置検出部と、
前記位置検出部により検出された前記調整位置を示す調整位置情報を記憶する記憶装置と、
を備えることを特徴とする請求項３に記載の脳波測定装置。
＜請求項５＞
前記第２の検出部は、複数からなり、
前記頭部の所定の位置に前記複数の第２の検出部を当接させた状態で当該複数の第２の検出部を保持する支持部材と、
前記複数の第２の検出部のうちから前記電気信号の検出対象とする一の第２の検出部をユーザ操作に基づき指定する指定部と、
を備えることを特徴とする請求項１〜４のいずれか一項に記載の脳波測定装置。
＜請求項６＞
前記指定部により指定された前記一の第２の検出部を示す指定情報を記憶する記憶装置を備えることを特徴とする請求項５に記載の脳波測定装置。
＜請求項７＞
前記第１の検出部は、前記特定の部位として前記ユーザの蝸牛から発せられる電気信号を検出し、
前記第２の検出部は、前記ユーザの頭部の複数の場所のなかで前記相関係数が相対的に最も大きい特定の場所において、前記ユーザの頭部の聴覚野から発せられる電気信号を検出することを特徴とする請求項１〜６のいずれか一項に記載の脳波測定装置。
＜請求項８＞
前記第１の検出部により前記電気信号を検出する際に、所定周波数の音を出力する音出力部を備えることを特徴とする請求項７に記載の脳波測定装置。
＜請求項９＞
脳波測定装置における脳波測定方法であって、
前記脳波測定装置は、
ユーザの特定の部位から発せられる電気信号を検出する第１の検出部と、
前記特定の部位とは異なる、前記ユーザの頭部の少なくとも１つの部位から発せされる電気信号を検出する第２の検出部と、を備え、
前記第１の検出部から検出される電気信号と前記第２の検出部から検出される電気信号との相関係数を算出し、
当該相関係数に基づく情報を出力する、
ことを特徴とする脳波測定方法。
＜請求項１０＞
脳波測定装置における脳波測定プログラムであって、
前記脳波測定装置は、
ユーザの特定の部位から発せられる電気信号を検出する第１の検出部と、
前記特定の部位とは異なる、前記ユーザの頭部の少なくとも１つの部位から発せされる電気信号を検出する第２の検出部と、を備え、
コンピュータに、
前記第１の検出部から検出される電気信号と前記第２の検出部から検出される電気信号との相関係数を算出させ、
当該相関係数に基づく情報を出力させる、
ことを特徴とする脳波測定プログラム。
【符号の説明】
【００４９】
１００    脳波測定装置
１        センサユニット
１１      耳孔内センサ
１２      頭部センサ
１３      ユニット本体
１３１    接地部
１３２    調整部
２        ネックバンド
３        コントローラ部
１０１    制御装置
１０２    記憶装置
１０３    操作部
１０４    表示部
１０５    センサ部
１０６    位置検出部
１０７    通信部
２００    脳波測定装置
２０２    フレーム
１４      網膜センサ
【図１】
2018153532.tif 000003
【図２】
2018153532.tif 000004
【図３】
2018153532.tif 000005
【図４】
2018153532.tif 000006
【図５】
2018153532.tif 000007
【図６】
2018153532.tif 000008
【図７】
2018153532.tif 000009
【図８】
2018153532.tif 000010